(57)【要約】      （修正有）【課題】フットワークやコントールの強化用に、本来の天板に繋げ合わせたり、単独でまたは複数繋ぎ合わせたりして、使用する天板を実質的に拡張でも縮小でも自在に調整しつつ、距離感を狂わすことの無いよう、工夫されたサイズの変形卓球台を提供する。【解決手段】本来のサイズの卓球台のほぼ１コート分の長さを長辺縁とする１／８サイズの長方形の天板３と、天板３を所定の高さで水平に支持する支持脚１９とを備え、長辺縁を本来のサイズの卓球台の１コートの長さとして利用する。天板３の上面１３には、短辺縁に沿って幅２０ｍｍのエンドライン１７が引かれ、長辺縁に沿って幅１０ｍｍのサイドライン１５が引かれている。天板を縮小するにしても、１／８サイズが１コート分を単独で構成する場合の最小サイズになると思われるので、これを設計サイズに採用し、１ピースとしての使用を可能とすることで、練習の目的に合わせて天板のサイズを変更できる実用的なものになっている。【選択図】図１
0003227840.tif 000002
【実用新案登録請求の範囲】
【請求項１】
本来のサイズの卓球台のほぼ１コート分の長さを長辺縁とする１／８サイズの長方形の天板と、前記天板を所定の高さで水平に支持する支持脚とを備え、前記長辺縁を前記本来のサイズの卓球台の１コートの長さとして利用することを特徴とする、１／８サイズ卓球台。
【請求項２】
請求項１に記載した１／８サイズ卓球台において、
天板の上面には、短辺縁に沿って幅２０ｍｍのエンドラインと、長辺縁に沿って幅１０ｍｍのサイドラインが引かれていることを特徴とする１／８サイズ卓球台。
【請求項３】
請求項１または２に記載した１／８サイズ卓球台において、
天板が本来のサイズの卓球台の天板と同様な品質で形成されていることを特徴とする１／８サイズ卓球台。
【請求項４】
請求項１から３のいずれかに記載した１／８サイズ卓球台において、
天板の下面には四角形の枠部が設けられ、
支持脚は、２本の連結ロッドが中心で回転自在に連結され、平面視ほぼＩ字状からＸ字状に拡開自在なクロスフレームと、前記クロスフレームの４つの端部に対してそれぞれＴ字をなすように直交方向に固定連結された脚部ロッドで構成されており、前記支持脚がＸ字状に拡開されて、前記４つの脚部ロッドが立ち上がり、それぞれの下側端部が接地され、上側端部が前記枠部の角部に寄せて嵌め込まれることで、前記天板が支持されることを特徴とする１／８サイズ卓球台。
【考案の詳細な説明】
【技術分野】
【０００１】
本考案は、天板のサイズに特徴を有する卓球台に関するものである。
【背景技術】
【０００２】
卓球台の天板は、国際規格によれば、長さ２７４０ｍｍ、幅１５２５ｍｍの長方形で、その上面は地面より７６０ｍｍの高さで水平に位置しており、長辺と直交方向に張られたネットによって、その上面が２つのコートに等分されている。
卓球台には、セパレート型や特許文献１に記載のように折り畳み式の一体型があり、いずれも使用するときにのみ天板を水平方向に広げて設置できることから、上記した国際規格仕様の卓球台の普及が進んでおり、専用卓球場だけでなく、各所で使用されている。
本格的な卓球をしてみたい、公式戦の出場を考えている等の者は、そのような国際規格の卓球台を手軽に使用して、日常的に試合をしたり練習したりしている。
【先行技術文献】
【特許文献】
【０００３】
【特許文献１】実開平６−８３０５９号公報
【考案の概要】
【考案が解決しようとする課題】
【０００４】
ところで、競技力の向上には、相手との打ち合いを重ねて、フットワークやコントロールを強化することが大切な要素になっている。
フットワークを強化するために、天板を大きくしてフットワーク可動域を広げるというアイデア自体は昔からあったが、単純に複数の卓球台の天板を繋げ合わせて一つの大きな天板としてしまうのでは必要以上に天板が大きくなってしまう。
また、小さなサイズの天板を使用すれば、ボールの落下許容位置を絞ることになり、コントロールを強化するのに効果的であると考えられるが、そのために、専用の卓球台を用意するのはコスト的に負担が掛かる。
更に、上記いずれの強化練習の際においても、ボールの飛距離、軌道、スピードなどの要素は距離感が狂うと変わってくることが分かってきているため、上記のように複数の天板が繋ぎ合わされても、また、専用の小さなサイズの天板が使用されても、使用する際に１つの天板扱いになるものの長さは２７４０ｍｍを確保し、ネットで２つのコートに等分されるべきである。
【０００５】
本考案は上記従来の問題点に着目して為されたものであり、本来の天板に繋げ合わせたり、単独でまたは複数繋ぎ合わせたりして、使用する天板を実質的に拡張でも縮小でも自在に調整しつつ、距離感を狂わすことの無いよう、工夫されたサイズの変形卓球台の提供を、その目的とする。
【課題を解決するための手段】
【０００６】
本考案は、上記目的を達成するために為されたものであり、請求項１の考案は、本来のサイズの卓球台のほぼ１コート分の長さを長辺縁とする１／８サイズの長方形の天板と、前記天板を所定の高さで水平に支持する支持脚とを備え、前記長辺縁を前記本来のサイズの卓球台の１コートの長さとして利用することを特徴とする、１／８サイズ卓球台である。
【０００７】
請求項２の考案は、請求項１に記載した１／８サイズ卓球台において、天板の上面には、短辺縁に沿って幅２０ｍｍのエンドラインと、長辺縁に沿って幅１０ｍｍのサイドラインが引かれていることを特徴とする１／８サイズ卓球台である。
【０００８】
請求項３の考案は、請求項１または２に記載した１／８サイズ卓球台において、天板が本来のサイズの卓球台の天板と同様な品質で形成されていることを特徴とする１／８サイズ卓球台である。
【０００９】
請求項４の考案は、請求項１から３のいずれかに記載した１／８サイズ卓球台において、天板の下面には四角形の枠部が設けられ、支持脚は、２本の連結ロッドが中心で回転自在に連結され、平面視ほぼＩ字状からＸ字状に拡開自在なクロスフレームと、前記クロスフレームの４つの端部に対してそれぞれＴ字をなすように直交方向に固定連結された脚部ロッドで構成されており、前記支持脚がＸ字状に拡開されて、前記４つの脚部ロッドが立ち上がり、それぞれの下側端部が接地され、上側端部が前記枠部の角部に寄せて嵌め込まれることで、前記天板が支持されることを特徴とする１／８サイズ卓球台である。
【考案の効果】
【００１０】
本考案の卓球台を、本来の天板に繋げ合わせたり、単独でまたは複数繋ぎ合わせたりして使用する天板を実質的に拡張でも縮小でも自在に調整できる。この天板は１コート分の長さとほぼ同じ寸法部位を有するので、距離感を狂わすことはない。
また、天板を縮小するにしても、１／８サイズが１コート分を単独で構成する場合の最小サイズになると思われるので、これを設計サイズに採用し、１ピースとしての使用を可能とすることで、練習の目的に合わせて天板のサイズを変更できる実用的なものになっている。
【図面の簡単な説明】
【００１１】
【図１】本考案の実施の形態に係る１／８サイズ卓球台の斜視図である。
【図２】図１の分解斜視図である。
【図３】図１で示した卓球台の天板の裏面図である。
【図４】図１で示した卓球台の天板の上面図である。
【図５】図１で示した卓球台の様々な設置状態を示す。
【図６】図５と共に、卓球台の様々な設置状態を示す。
【考案を実施するための形態】
【００１２】
以下、本考案の実施の形態について図を参照して説明する。
図１、図２に示すように、本実施の形態に係る卓球台１は、天板３と、この天板３を支持する支持脚１９とで構成されている。
図３、図４に示すように、天板３は、互いに対向する一対の長辺縁３ａ、３ａと、互いに対向する一対の短辺縁３ｂ、３ｂとで囲まれ、縦寸法Ｌが約１３７０ｍｍ、横寸法Ｔが約３８０ｍｍの長方形状に形成されている。天板３は、国際規格の天板（２コート分）を長さ方向に沿って平行に４つに均等に分割し、更に幅方向に沿って平行に２つに均等に分割したときの１ピース分、ほぼ１／８サイズになっている。すなわち、国際規格の天板の１コート分の長さに縦寸法Ｌがほぼ一致している。
この天板３は、本実施の形態では、国際規格のサイズの卓球台の天板と同様な品質で形成されている。
【００１３】
図３に示すように、裏面５には長方形の枠部７が設けられている。この枠部７は断面Ｌ字状の直状に延びた板材が天板３の４つの辺縁に沿って平行にそれぞれ設けられており、板材の一片９が裏面５に重ね合わされて固定され、他片１１が裏面５から垂直に立ち上がって突出している。１つの他片１１の端部が別の他片１１の端部と互いに直交方向で数珠つなぎ状に連なり合うことで、長方形の枠部７が構成されている。
枠部７は、天板３の一対の長辺縁３ａ、３ａから均等に離間し、かつ一対の短辺縁３ｂ、３ｂからも均等に離間した位置にあり、枠部７の中心と天板３の中心は一致している。また、枠部７は天板３の相似形に近い長方形になっている。本実施の形態では、枠部７は長辺縁３ａからＸ＝１５ｍｍ離間し、短辺縁３ｂからＹ＝６０ｍｍ離間している。
【００１４】
図４に示すように、天板３の上面１３は、全面が青に着色されており、辺縁には白線が引かれている。一対の長辺縁３ａ、３ａに沿ってそれぞれ幅（Ｗ１）＝１０ｍｍの白線が引かれており、一対の短辺縁３ｂ、３ｂに沿ってそれぞれ幅（Ｗ２）＝２０ｍｍの白線が引かれて辺縁が視認し易くなっている。
長辺縁３ａ、３ａに沿った白線はサイドライン１５、短辺縁３ｂ、３ｂに沿った白線はエンドライン１７としての役目を担っている。
国際規格では、サイドライン、エンドラインの白線幅はいずれも２０ｍｍと規定されており、上記の天板３ではサイドライン１５の白線幅（Ｗ１）は国際規格の半分になっている。
【００１５】
支持脚１９は、同様な径のロッドの組み合わせでフレーム状に構成されている。一対の角筒状の連結ロッド２１、２１が長さ方向の中心で軸２３に回転自在に連結されてクロスフレームが構成されており、平面視でほぼＩ字状からＸ字状に拡開自在になっている。この連結ロッド２１、２１のそれぞれの長さ方向両端部には、脚部ロッド２５、２５が固定連結されている。脚部ロッド２５が連結ロッド２１に対して直交方向に固定されており、Ｔ字状をなしている。
【００１６】
クロスフレームをＩ字状に縮閉させると、その両端側にそれぞれ一対の脚部ロッド２５、２５が並列した扁平な状態になる。
一方、クロスフレームをＸ字状に拡開させると、一対の脚部ロッド２５、２５が離れていく。
脚部ロッド２５、２５、……は上下方向に立たせた状態で天板３を支持するようになっており、クロスフレームをＸ字状に拡開させると、４本の脚部ロッド２５、２５、……が立ち上がり、水平方向に拡がったクロスフレームが連結した状態になっている。このクロスフレームは、下方から見たときに、４本の脚部ロッド２５、２５、２５、２５を頂点とする長方形の対角線上に筋交いのように延びている。
【００１７】
脚部ロッド２５、２５、……を立ち上がらせ、そのときに上側にくる上側端部２７、２７、……が天板３の枠部７に入るように、天板３を上方から載せ、枠部７の四隅の角部に上側端部２７、２７、……をそれぞれ寄せると、クロスフレームはそれ以上の拡開もまた縮閉方向への戻りも不能になってその位置で静止する。その静止位置では、上側端部２７、２７、……は枠部７の他片１１、１１に圧接している。
この静止状態で支持されている天板３の上面１３は、国際規格に従った高さになる。
【００１８】
卓球台１は、上記したように構成されており、練習の目的に合わせて、図５、図６に示すように、様々な配置が考えられる。
（１）では、国際規格のセパレート型の卓球台２９と組み合わせた例であり、ネット３１を張った卓球台２９の一方のコートの天板３３に卓球台１の天板３を一対両側から繋ぎ合わせて、練習に使用する天板のサイズを実質的に拡張している。このとき、天板３の長辺縁３ａは天板３３の長さ方向の縁に合わされており、天板３のエンドライン１７は天板３３のエンドライン３７の延長上にある。また、天板３のサイドライン１５の一方側は天板３３のサイドライン３５と並んで１本の太い白線が引かれているように見えるが、サイドライン１５の白線幅は１０ｍｍと細くなっているので、一体化しても白線の幅は３０ｍｍに留まり、練習の際の目障りになることはない。
【００１９】
また、（２）では、ネット３１を張った卓球台２９の一方のコートの天板３３に卓球台１の天板３を一方側から繋ぎ合わせて、練習に使用する天板のサイズを実質的に拡張しており、拡張分は（１）よりも小さくなっている。
このように、天板の拡張サイズを調整できる。但し、卓球台１の天板３の長辺縁３ａが１コートの長さとして利用されており、常に、短辺縁３ｂからネット３１までの距離（厳密には垂線の長さ）は同じになっている。
従って、天板が実質的に拡張されてフットワーク可動域が広がっても、距離は変わらない。
【００２０】
（３）では、卓球台２９の一方の天板３３を除いて、一方のコートを２つの卓球台１、１で構成している。天板３３の両サイドライン３５、３５側に当たる位置にそれぞれ天板３、３がくるように配置されている。
（４）では、卓球台２９の一方の天板３３を除いて、一方のコートを１つの卓球台１で構成している。天板３３の一方のサイドライン３５側に当たる位置に天板３がくるように配置されている。
（５）では、一方のコートを２つの卓球台１、１で構成している。天板３３の一方のサイドライン３５側に当たる位置に天板３、３がくるように寄せて配置されている。すなわち、２つの卓球台１、１で１／４サイズの卓球台が構成されている。
このように、天板の縮小サイズや縮小に伴う欠落位置を調整できる。但し、卓球台１の天板３の長辺縁３ａが１コートの長さとして利用されており、常に、短辺縁３ｂからネット３１までの距離（厳密には垂線の長さ）は同じになっている。
従って、天板が実質的に縮小されても距離は変わらない。
【００２１】
（６）、（７）では、卓球台２９を使用せずに、２つの卓球台１、１で両方のコートを構成している。
（６）では、２つの卓球台１、１が対角線状に対向しており、（７）では、２つの卓球台１、１が長さ方向に対向している。
このように、両方のコートの天板のサイズを縮小することもできる。
【００２２】
以上、本考案の実施の形態について詳述してきたが、具体的構成は、上記の実施の形態に限定されるものではなく、本考案の趣旨を逸脱しない範囲における設計の変更があっても考案に含まれる。
例えば、上記の実施の形態では卓球台１の天板３は、国際規格の１／８サイズになっているが、これに限定されない。卓球台にはミニサイズもあり、このようなサイズに対応させてもよい。
支持脚は、天板を水平に支持できるものであればよく、その構造は限定されない。例えば、天板の裏面に支持脚を回動自在に連結させて折り畳み式にしたり、支持脚を伸縮自在に構成して使用時に伸長させたり、支持脚を複数のバラバラのロッドで構成して使用時に連結させ一体化させるようにしてもよい。
また、天板を拡張する目的に絞った場合には、通常サイズの卓球台はセパレート型に限定されず、一体型も使用することができる。
【符号の説明】
【００２３】
１…卓球台（本考案の実施の形態）
３…天板          ５…裏面    ７…枠部    ９…一片    １１…他片    １３…上面
１５…サイドライン            １７…エンドライン        １９…支持脚
２１…連結ロッド  ２３…軸    ２５…脚部ロッド          ２７…上側端部
２９…卓球台（国際規格）
３１…ネット      ３３…天板  ３５…サイドライン        ３７…エンドライン
【図１】
0003227840.tif 000003
【図２】
0003227840.tif 000004
【図３】
0003227840.tif 000005
【図４】
0003227840.tif 000006
【図５】
0003227840.tif 000007
【図６】
0003227840.tif 000008